(57)【要約】【課題】基板ボックスのコネクタ接続部を覆うコネクタカバーを有効に封止する。【解決手段】コネクタカバー３００が脆弱な耳片３０７、３０８で接続された第１部３０１〜第３部３０３からなり、コネクタ接続部を囲むカバー嵌め込み領域に嵌め込まれる。第１部３０１と第３部３０３の裏面側にはコネクタカバーを長手方向にスライドさせることにより相手側と剥し方向に係止する係止部３１５と係止片３１３を設け、第２部３０２にはスライドさせたとき相手側とスライド方向（戻り方向）に係止する係止部３２０、３３０を設けてある。スライド方向係止後は剥し方向の係止解放もできないから封止状態となる。係止部３２０、３３０は剥し方向には係止していないので、耳片を切断すると第２部３０２を抜き出すことができて封止解除され、その後第１部３０１と第３部３０３をスライドさせて取り外すことができる。【選択図】      図１８
2018199069.tif 000002
【特許請求の範囲】
【請求項１】
第１の構造部材を第２の構造部材に固定してなる構造体を配設した遊技機において、
前記第１の構造部材は接続部を介して接続された第１構造部と第２構造部とを有し、
前記第１構造部と前記第２の構造部材の間には、第１の方向において互いに係止する第１係止手段が設けられ、
前記第２構造部と前記第２の構造部材の間には、前記第１の方向と交差する第２の方向において互いに係止する第２係止手段が設けられ、
前記第１係止手段は前記第１の構造部材を前記第２の構造部材に対して前記第２の方向と逆方向に所定位置まで移動させることにより係止状態となり、
前記第２係止手段は前記第１の構造部材を前記第２の構造部材に対して前記第２の方向と逆方向に前記所定位置まで移動させることにより不可逆の係止状態となるように構成されて、前記第１の構造部材と前記第２の構造部材が固定され、
前記接続部を切断した場合には、前記第２構造部の前記第２の構造部材に対する前記第１の方向の離脱を可能に構成されて、前記第２構造部を取り外すことにより前記第２の方向であって前記第２構造部を取り外す前における該第２構造部の設置領域に向けた方向に前記第１構造部が移動可能になり、該第１構造部を前記第２の方向であって前記設置領域に向けた方向に移動させることで前記第１構造部が前記第２の構造部材から取り外し可能になり前記固定が解除されることを特徴とする遊技機。
【発明の詳細な説明】
【技術分野】
【０００１】
本発明は、スロットマシンその他の遊技機に関する。
【背景技術】
【０００２】
例えば遊技機のスロットマシンにおいては、筐体が、正面側に開口部をもつ箱形状の筐体本体と、その開口部を閉じ表側が演出表示面や操作レバー等を備える遊技面となっている前面扉とから構成される。前面扉には表示窓が設けられ、筐体本体内には表示窓から視認可能にリールが設置され、その駆動機構や電源等も筐体本体内に設置されている。さらに遊技内容や演出処理を電子的に制御する制御基板が、リール等とともに筐体本体内に設置される。
【０００３】
制御基板には遊技内容のプログラムや大当たりの発生条件等を規定するデータを記憶するメモリも実装されているため、そのメモリあるいは制御基板全部を交換したり、別途のメモリ追加や変更を加えることにより、大当たりを頻発させコインを大量に獲得するというような不正行為が問題となる。
このため、筐体本体側と協働して前面扉を閉鎖し施錠状態とする施錠機構が設けられているが、これだけでは不正行為の防止には不十分で、施錠状態を破って制御基板に不正な変更等を加える事例が頻発している。
【０００４】
そこで、制御基板を収納した基板ボックス自体についてもこれを封止する技術が例えば特開２００１−３１４６２４号公報に提案されている。
これはワンウェイネジを用いて封止するものである。ワンウェイネジは回転の一方向にはドライバが引っ掛かる当接面部と、逆方向にはドライバが滑る凹部とからなるネジ溝を有しており、通常のマイナスドライバなどでは緩め方向に回すことが困難となっている。
すなわち、このようなワンウェイネジを用いて基板ボックスの本体と蓋体とを非可逆的な固着状態とすることにより、基板ボックスを不正に開いたり正規外の制御基板を備えた複製品の基板ボックスにすり替えることを防止しようとするものである。
【先行技術文献】
【特許文献】
【０００５】
【特許文献１】特開２００１−３１４６２４号公報
【発明の概要】
【発明が解決しようとする課題】
【０００６】
上記の封止部材を用いてボックスの結合状態を封止する封止構造は基板ボックスを不正に開いて内部の制御基板にアクセスすることを防止する上で有効である。
一方、基板ボックス内の制御基板はケーブルによって外部の機器と信号の授受を行う必要があるので、制御基板のソケットにケーブルのコネクタが接続される。このコネクタ接続部は基板ボックス内外の境界であり、コネクタが外されればソケットに露出した端子からも制御プログラム等の変更が不正に行われる可能性がある。
【０００７】
この対策としてはコネクタ接続部を隠すコネクタカバーを設ける必要があるが、これにも別途独立の封止部材を用いると構造が複雑になるため、基板ボックスの開閉に対する封止ほどには、当該コネクタ接続部への不正アクセス防止策は徹底されていない。
このため、別途の封止部材を使用することなく、コネクタカバー自体が基板ボックスなど相手部材に取り付けられた後は、その破損などの痕跡を残すことなしには取外すことができない構造が求められる。
このような要求は基板ボックスのコネクタ部に対するコネクタカバーに限らず、相手部材に取り付けられて封止を必要とする構造体全般に共通するものである。
【０００８】
したがって本発明は、上記の例示した問題等に鑑み、不正な取り外し行為を効果的に防止することができるようにした構造体を備えた遊技機を提供することを目的とする。
【課題を解決するための手段】
【０００９】
上記課題を解決すべく請求項１記載の発明は、第１の構造部材を第２の構造部材に固定してなる構造体を配設した遊技機において、
前記第１の構造部材は接続部を介して接続された第１構造部と第２構造部とを有し、
前記第１構造部と前記第２の構造部材の間には、第１の方向において互いに係止する第１係止手段が設けられ、
前記第２構造部と前記第２の構造部材の間には、前記第１の方向と交差する第２の方向において互いに係止する第２係止手段が設けられ、
前記第１係止手段は前記第１の構造部材を前記第２の構造部材に対して前記第２の方向と逆方向に所定位置まで移動させることにより係止状態となり、
前記第２係止手段は前記第１の構造部材を前記第２の構造部材に対して前記第２の方向と逆方向に前記所定位置まで移動させることにより不可逆の係止状態となるように構成されて、前記第１の構造部材と前記第２の構造部材が固定され、
前記接続部を切断した場合には、前記第２構造部の前記第２の構造部材に対する前記第１の方向の離脱を可能に構成されて、前記第２構造部を取り外すことにより前記第２の方向であって前記第２構造部を取り外す前における該第２構造部の設置領域に向けた方向に前記第１構造部が移動可能になり、該第１構造部を前記第２の方向であって前記設置領域に向けた方向に移動させることで前記第１構造部が前記第２の構造部材から取り外し可能になり前記固定が解除されることを特徴とする。
【発明の効果】
【００１０】
本発明によれば不正行為を効果的に防止することができるようにした遊技機を提供することができる。
【図面の簡単な説明】
【００１１】
【図１】本発明が適用されるスロットマシンの全体斜視図である。
【図２】前面扉を取外して示すスロットマシン内部の正面図である。
【図３】主基板ユニットの全体正面図である。
【図４】固定ベース部の斜視図である。
【図５】固定ベース部の側面図である。
【図６】可動ベース部の全体斜視図である。
【図７】左側の側部ブロックを示す斜視図である。
【図８】主制御装置を前方から見た斜視図である。
【図９】主制御装置を後方から見た斜視図である。
【図１０】コネクタカバーの取り付け部を示す部分拡大正面図である。
【図１１】図１０におけるＡ−Ａ部断面図である。
【図１２】第１の剥し方向係止部の詳細を示す図である。
【図１３】第１のスライド方向係止部の詳細を示す図である。
【図１４】図１０におけるＷ−Ｗ部断面図である。
【図１５】第２のスライド方向係止部の詳細を示す図である。
【図１６】他の第１の剥し方向係止部の詳細を示す図である。
【図１７】図１０におけるＫ−Ｋ部断面図である。
【図１８】コネクタカバーを示す図である。
【図１９】コネクタカバーの裏面図である。
【図２０】コネクタカバーの各部断面を示す図である。
【図２１】コネクタカバーの剥し方向の係止部を示す図である。
【図２２】コネクタカバーの剥し方向の他の係止部を示す図である。
【図２３】コネクタカバーのスライド方向の係止部を示す図である。
【図２４】コネクタカバーのスライド方向の他の係止部を示す図である。
【図２５】コネクタの接続状態とコネクタカバーの関係を示す説明図である。
【図２６】コネクタカバー取り付け完了位置における剥し方向にかかる係止状態を示す説明図である。
【図２７】他の剥し方向にかかる係止状態を示す説明図である。
【図２８】コネクタカバー取り付け完了位置におけるスライド方向にかかる係止状態を示す説明図である。
【図２９】スライド方向にかかる係止部の剥し方向引き抜き過程を示す説明図である。
【発明を実施するための形態】
【００１２】
次に本発明をスロットマシンに適用した実施の形態について説明する。
図１はスロットマシンの全体斜視図、図２は前面扉を取外して示す内部の正面図である。
スロットマシン１の筐体は、正面側が開口する箱形状の筐体本体２と、その開口部を閉じる前面扉３とから構成される。
筐体本体２は、天板２ａ、底板２ｂ、背板２ｃ、左側板２ｄ、右側板２ｅからなる。
前面扉３は、左端側の上下複数カ所がヒンジによって筐体本体２に取り付けられ、ヒンジを軸として水平に揺動し、筐体本体２の開口部を開閉可能となっている。
前面扉３の右端部には、筐体本体２側と協働して前面扉３を閉鎖し施錠状態とする施錠機構４が設けられている。
前面扉３の表側は、複数の表示窓６を備える遊技パネル５、コイン投入口７、各種の操作レバーやボタン、スイッチ類を備える操作部８、コイン受け皿９、その他の演出表示部１０などが設けられた公知の遊技面となっている。これらの詳細は、例えば特開２００８−６１７３９号公報に示される。
【００１３】
筐体本体２の内部は、仕切板２ｆによって上下に２分割されている。
仕切板２ｆの下部には、コインを貯留する貯留タンクとコインを前面扉３のコイン受け皿８へ払い出す払出装置とを備えたホッパ装置１１や、電源ボックス１２が配置されている。
前面扉３のコイン投入口７から投入されたコインはホッパ装置１１に供給され、貯留タンクに貯留されるか、あるいはコイン受け皿９へ排出されるようになっている。
仕切板２ｆの上部には、前面扉３の各表示窓６に対して１対１で対応させて横に並べたリール１４を同一軸線上で回転可能に支持したリールユニット１５が取り付けられている。
リールユニット１５の上方には、スロットマシンの制御を行う主基板ユニット２０が背板２ｃに取付けて設置されている。
【００１４】
図３は主基板ユニットの全体正面図である。
とくに指定しない限り、図３の状態を基準として図中の右側を主基板ユニット２０の右側、図中の左側を主基板ユニット２０の左側とし、図中の手前側を主基板ユニット２０の前側、図中の奥側を主基板ユニット２０の後側として説明し、主基板ユニット２０を構成する各部材についても同様とする。また、後述のコネクタカバー３００にかかる方向についても図３の主基板ユニット２０に取り付けられた状態を基準とする。
主基板ユニット２０は、主制御装置２２と、主制御装置を筐体本体２に支持する台座装置２５とを備えている。主制御装置２２により、遊技内容や演出処理が制御される。
【００１５】
台座装置２５は、筐体本体２の背板２ｃに固定される固定ベース部５０と、固定ベース部５０に支持されて水平に延びる回動中心軸線Ｚ（図６参照）を中心として上下に回動し傾倒姿勢をとることが可能な可動ベース部１００とを備えている。
主制御装置２２は可動ベース部１００に保持され、回動中心軸線Ｚに直交してこれから離間する方向（上方）にスライドさせることにより、可動ベース部１００から取り外し可能となっている。
主制御装置２２には後述のソケット４５が設けられ、ケーブル２７のコネクタ２８が当該ソケットに挿し込まれて外部の機器と接続される。
主制御装置２２から可動ベース部１００に跨って、コネクタ接続部をカバーする後述のコネクタカバー３００が取り付けられる。
【００１６】
主制御装置２２は、後述する表裏一対の第１ボックス２００と第２ボックス２０１によって構成される横長の矩形状の基板ボックス３０と、この基板ボックス３０内に収容される平板形状の主基板２３（後掲の図１１参照）とからなっている。
第１ボックス２００と第２ボックス２０１は透明または半透明の樹脂で形成される。
主制御装置２２を保持した可動ベース部１００を起立姿勢にすることにより、基板ボックス３０が背板２ｃにそって平行になって、内部の主基板２３の表面が筐体本体２の正面側から視認可能となる一方、可動ベース部１００を傾倒姿勢にすることにより、基板ボックス３０も筐体本体２の正面側に傾倒して内部の主基板２３の裏面が視認可能となるように構成されている。
【００１７】
以下、各部の詳細について説明する。
なお、左右が対となっている構成について個々に特有のものは参照番号にＬまたはＲの識別符号を付して説明し、共通の場合には識別符号を付さないで説明する。また、複数の同種のものにａ、ｂ、ｃ、・・の識別符号を付した場合も同様とする。
まず、台座装置２５の固定ベース部５０（５０Ｌ、５０Ｒ）は左右に分離した樹脂成形品で、それぞれ背板２ｃに固定されている。
図４は左側の固定ベース部５０Lを示す斜視図、図５は側面図である。
固定ベース部５０Lは、背板２ｃへの取付面となる縦壁５１と、縦壁５１の下部から前方へ延びた底部ブロック５２と、底部ブロック５２に連なって縦壁５１の下部の外側端縁（可動ベース部１００の左側では左側端縁、右側では右側端縁）から前方へ延びるヒンジ支持壁５３とを有する。
【００１８】
ヒンジ支持壁５３は左右方向内方へ延びるヒンジ軸５４を備えている。ヒンジ軸５４は円筒形状で、可動ベース部１００の軸筒１１５（後掲の図６参照）に挿入されて可動ベース部１００を支持する。
縦壁５１は幅狭の上端から内方側へ幅広となった下部へ幅が変化している。
縦壁５１上部の周囲よりも一段高くなった段部５１ａからは、ヒンジ支持壁５３の上方を姿勢保持部６２が前方へ延びている。姿勢保持部６２は、可動ベース部１００の上部を係止することにより可動ベース部１００を起立姿勢位置に保持するためのもので、その先端に爪６３を有している。
【００１９】
また、ヒンジ支持壁５３の上縁にそって、左右方向内側に所定幅のフランジ状の補強壁５５が段部５１ａの下端からヒンジ軸５４を越える位置まで設けられ、補強壁５５はその後下方へ曲がり底部ブロック５２まで延びている。
補強壁５５は縦壁５１からその曲がり部までの間、ヒンジ軸５４から所定の間隙を保持している。そして、補強壁５５の曲がり部近傍とヒンジ軸５４の間をつないで、リブ形状の第１回動ストッパ５６が形成してある。
【００２０】
底部ブロック５２の上面５７はヒンジ軸５４の周面に対して所定間隙をもって平行な円筒面の一部をなす一方、その前端部はヒンジ軸５４からこの所定間隙よりも離間して、上下方向の傾斜面を備える第２回動ストッパ５８となっている。
可動ベース部１００に主制御装置２２を取り付けた状態で、主制御装置２２をヒンジ軸５４まわりに傾倒させたとき、可動ベース部１００の後述の係止バー１３４が第１回動ストッパ５６に当接するとともに、基板ボックス３０の前壁３１から可動ベース部１００の前壁部１０５にかかる部分が第２回動ストッパ５８に当接して所定の傾倒姿勢位置となるように設定してある。
【００２１】
縦壁５１や底部ブロック５２の外形は剛性を持たせるため厚肉となっているが適宜の肉抜きを施してある。
なお、以下に説明する他の部材やその各部位にも肉抜きが施されているが、とくに個別には言及しない。
背板２ｃへの取り付けのため、縦壁５１の裏面上部にはフック６０が形成され、縦壁５１の下部内方端にはヒンジ軸５４と略同じ高さ位置に凹部６５を形成してその底壁にネジ挿通穴６６が設けてある。さらに、縦壁５１の下部外方端には裏面に開口する不図示のネジ孔も形成してある。
右側の固定ベース部５０Ｒは固定ベース部５０Ｌと左右対称であるほかは同一である。
【００２２】
図６は可動ベース部１００を示す斜視図である。
可動ベース部１００は合成樹脂製で、主制御装置２２（基板ボックス３０）の下端壁を受ける載置部１０２と、載置部１０２の左右外側に上下にわたって形成された側部ブロック１０４（１０４Ｌ、１０４Ｒ）と、載置部１０２の後端から上下に延びた後壁部１０６と、載置部１０２の前端縁から下方に延びる前壁部１０５と、前壁部１０５と後壁部１０６とに連なって載置部１０２と平行に延びる下壁部１０７を有している。載置部１０２と下壁部１０７の間は複数の区画からなる封止部１０８となる。
【００２３】
なお、封止部１０８における第１区画１０９ａは基板ボックス３０を構成する第１ボックス２００と第２ボックス２０１間を封止キャップで封止した第１の封止結合部７０（後掲の図８参照）を収容する部分であり、第２、第３区画１０９ｂ、１０９ｃはそれぞれ基板ボックス３０と可動ベース部１００間を封止する第２の封止結合部７１のための封止構造形成部７５ｂを備えている。第４区画１０９ｄは第１ボックス２００と第２ボックス２０１間を不図示の封止ピンで封止する第３の封止結合部７２（図８参照）を収容する部分である。
【００２４】
側部ブロック１０４は、載置部１０２から上方に延びてその全長にわたって後縁が後壁部１０６の左右両端に連なっている側端壁１１２と、載置部１０２より下側で外方（側部ブロック１０４Ｌでは左方、側部ブロック１０４Ｒでは右方）に向けて開口する軸筒１１５を備える軸受部１１４と、側端壁１１２の前縁から内方に延びる保持壁１１６（１１６Ｌ、１１６Ｒ）と、側端壁１１２より外方に張り出した取っ手兼係止部１２０（１２０Ｌ、１２０Ｒ）とを有する。
【００２５】
側端壁１１２の上端は、載置部１０２に載置した基板ボックス３０の高さの略中間位置まで達する高さに設定されている。
保持壁１１６は側端壁１１２に沿った一定幅のフランジ状である。
側端壁１１２、保持壁１１６および後壁部１０６とでコ字形の溝１１８（１１８Ｌ、１１８Ｒ）を形成している。溝１１８の下端は載置部１０２より一段高い段差面１１９となっている。
取っ手兼係止部１２０は封止部１０８の前壁部１０５と面一に連なった前壁１２１を備え、前壁１２１には指掛け部１２３が形成されるとともに、固定ベース部５０の姿勢保持部６２の爪６３と係止する係止孔１２４が設けてある。
【００２６】
軸受部１１４の下半部は軸筒１１５に沿った円筒面をなし、上半部前面は前壁部１０５の延長部となり、後面は以下に述べる後壁部１０６の凹部、すなわち膨出部１０６ａ部分の後面の延長部となっている。
軸受部１１４には、軸筒１１５の斜め後上方に軸筒１１５の端面よりも外方に突出する係止バー１３４を備えている。係止バー１３４は、可動ベース部１００を傾倒姿勢位置にしたとき固定ベース部５０の第１回動ストッパ５６に当接するものである。
【００２７】
後壁部１０６における側端壁１１２に連なる所定領域は、外面（後面）に固定ベース部５０の縦壁５１を逃げる凹部を形成するため、内側へオフセットしており、その分だけ溝１１８に及ぶ膨出部１０６ａとなっている。
なお、後壁部１０６の上縁は左右の所定範囲が側端壁１１２の上端と同じ高さで、左右方向中央部ではより低い直線状で、その間は傾斜しており、後方から見たとき谷形状を呈している。後壁部１０６の上縁端面には複数の突起１３２が形成されている。
とくに図示しないが、後壁部１０６から下壁部１０７にかけては軸筒１１５と同心の円筒面となっている。
【００２８】
封止部１０８の左右両端には、前壁部１０５から後壁部１０６までの貫通穴１２９が形成されている。この貫通穴１２９は、軸筒１１５に固定ベース部５０のヒンジ軸５４を挿入し姿勢保持部６２の爪６３を係止孔１２４に係止させて、後壁部１０６を固定ベース部５０の縦壁５１に沿わせたとき、固定ベース部５０のネジ挿通穴６６に整合するように設定されている。
載置部１０２には貫通穴１２９に開口する連通穴１３０が後壁部（膨出部１０６ａ）に接して設けてあり、後述する基板ボックス３０の突片４０を受け入れるようになっている。
【００２９】
右側の側部ブロック１０４Ｒの保持壁１１６Ｒは、外形が厚肉で、その前端面は取っ手兼係止部１２０Ｒの前壁１２１と面一となっている。
保持壁１１６Ｒの前端面に開口する凹部１２７の底壁には、基板ボックス３０の固定用ネジ孔３９に対応させて、ネジ挿通穴１２８（図７参照）が設けてある。
右側の側部ブロック１０４Ｒにおける溝１１８Ｒは前後幅一定である。
【００３０】
本実施の形態では、後述するように、基板ボックス３０の前壁３１の左端部にケーブル２７のコネクタ２８と接続する回路基板のソケット挿通穴２０３が設けられ、基板ボックス３０と側部ブロック１０４Ｌの境界に跨ってコネクタカバー３００の取付部が形成される。このため、左側の側部ブロック１０４Ｌは右側の側部ブロック１０４Ｒとは一部異なる構造を有する。
図７は左側の側部ブロック１０４Ｌを示す斜視図である。
側部ブロック１０４Ｌにおいては、保持壁１１６Ｌ自体は薄板状で、その前端面は取っ手兼係止部１２０Ｌの前壁１２１よりも後方へ退避している。したがって、保持壁１１６Ｌの前端面は取っ手兼係止部１２０Ｌの側壁１２２から内方へ延びる形態となっている。
【００３１】
左側の保持壁１１６Ｌは上半部１１６ａが下半部１１６ｂに対して前方へわずかにオフセットしており、このため溝１１８Ｌは相対的に上半部の前後幅が下半部よりも広くなっている。薄板状の下半部１１６ｂは載置部１０２まで延びている。
保持壁１１６Ｌの上半部１１６ａの前端面上にはケーブル押え１４０が一体に設けられ、下半部１１６ｂには右側の保持壁１１６Ｒと同様に、基板ボックス３０の固定用ネジ孔３９に対応させて、ネジ挿通穴１２８が設けてある。
さらに下半部１１６ｂの前端面上には第１の剥し方向係止部２２０ｅと第２のスライド方向係止部２４０が設けてある。
ケーブル押え１４０や各係止部２２０ｅ、２４０については追って詳細に説明する。
【００３２】
以上の構成を有する台座装置２５は、まず、固定ベース部５０を、そのヒンジ軸５４を可動ベース部１００の軸筒１１５に挿入して、可動ベース部１００を左右から挟む形に組み付ける。そして、固定ベース部５０の各フック６０をそれぞれ背板２ｃ側に設けられた不図示のフック受けに係止させる。
つぎに、相対的に可動ベース部１００の起立姿勢位置、すなわち可動ベース部の後壁部１０６と固定ベース部５０の縦壁５１を重ねた状態にすると、可動ベース部１００の貫通穴１２９が固定ベース部５０のネジ挿通穴６６に重なるから、ドライバで貫通穴１２９を通してネジ挿通穴６６から筐体本体２の背板２ｃ内側の対応する箇所に予め設けられているナット部にネジをねじ込んで固定ベース部５０を背板２ｃに固定する。
【００３３】
背板２ｃの背面側からも、背板２ｃに形成した不図示のネジ挿通穴を通してネジを縦壁５１の裏面に開口するネジ孔にねじ込む。これにより、固定ベース部５０は背板２ｃに対して前方および後方の両方から固定されるので、前方または後方の一方からのみでは背板２ｃから取り外すことができない。
可動ベース部１００はこのように背板２ｃに固定された固定ベース部５０のヒンジ軸５４を軸筒１１５に挿入されて支持されているので、背板２ｃに固定された固定ベース部５０から取外すことはできない。
【００３４】
次に、主制御装置２２の構成について説明する。
図８は主制御装置２２を前方から見た外観斜視図、図９は主制御装置２２を後方から見た斜視図である。
基板ボックス３０は表側の第１ボックス２００と裏側の第２ボックス２０１とからなっている。
基板ボックス３０の外形の基本前後幅(基本厚さ）は、可動ベース部１００における前壁部１０５の前面から後壁部１０６の後面間の距離に一致させてある。
主基板２３（図１１参照）は、ネジなどにより例えば第１ボックス２００の内側に取り付けられて基板ボックス３０の内部に収容される。主基板２３上には、配線パターンが形成されるとともに、ＣＰＵやＲＯＭ等のＩＣチップを含む各種電子部品等が実装され、外部のケーブル２７との接続のためのソケット４５が固定されている。
【００３５】
基板ボックス３０の前壁３１には、左端部に主基板２３上のソケット４５を挿通させるためのソケット挿通孔２０３が形成され、右端部にはリセットボタン等をカバーしてドア２０５を備える操作ボタンカバー部２０４が膨出している。図８では、ソケット４５のロックレバー４６が直立位置でソケット挿通孔２０３から突出している状態が示されている。
第１ボックス２００と第２ボックス２０１間は不図示の係止爪やネジ等で結合されるとともに、初期状態では基板ボックス３０の下端部において、例えば特願２０１０−１５８１９９に開示された第１封止部３４と同様の、封止キャップを用いた第１の封止結合部７０により結合状態が封止される。
【００３６】
なお、基板ボックス３０の下端部には、第１の封止結合部７０に隣接して、可動ベース部１００との結合を封止するための第２の封止結合部７１（図３参照）を形成する封止構造形成部７５ａ、および第１ボックス２００と第２ボックス２０１間の結合を封止するための第３の封止結合部７２（図３参照）を形成する封止構造形成部７６などが設けてある。
第２の封止結合部７１は内部点検等のため第１の封止結合部７０を破壊して封止解除した後の再封止に使用するものであって、可動ベース部１００との封止によって同時に第１ボックス２００と第２ボックス２０１間の結合も封止する。
【００３７】
第３の封止結合部７２は複数の第２の封止結合部７１を順次に使用し尽くしたあと、主基板２３の検査等が必要になった場合には、主基板２３を基板ボックス３０ごとメーカーへ返送できるように基板ボックス３０自体を封止するものである。
封止構造形成部７５ａ、７６は例えば特願２０１０−１５８１９９に開示された第２、第３封止部３６、３８における筒状体２５５と同様に筒状をなし、主基板ユニット２０専用に準備された封止ピンを使い回しして挿入することにより封止を行う。
ここでは、これらにより基板ボックス３０自体、あるいは基板ボックス３０と可動ベース部１００間が封止結合されることのみ述べて、その詳細説明は省略する。
【００３８】
基板ボックス３０は、左右の側壁３５（３５Ｌ、３５Ｒ）間の長さを可動ベース部１００の左右の保持壁１１６Ｌ、１１６Ｒの各内側端縁間の距離に対応させてある。
基板ボックス３０の左右両端の上部には、それぞれ側壁３５よりも左右外方に張り出した側方張出し部３７（３７Ｌ、３７Ｒ）を有する。さらに、側方張出し部３７の下側には、側壁３５から同様に左右外方に張り出すが、側方張出し部よりも少ない張り出し量で下端壁３４近くまで延びる被保持部３８（３８Ｌ、３８Ｒ）を有している。
【００３９】
側方張出し部３７Ｌ、３７Ｒを含んだ基板ボックス３０の左右方向長さは可動ベース部１００の左右の側部ブロック１０４の側端壁１１２の外端面間の距離に一致するよう設定され、また、被保持部３８は側部ブロック１０４の各溝１１８にそれぞれ整合して嵌まり込むよう設定されている。
なお、右側の被保持部３８Ｒの前端面は上下に渡って平坦面であるが、左側の被保持部３８Ｌの前端面は上下方向中間位置に段差を有して、上半部が下半部よりも前方へオフセットしている。これは、保持壁１１６Ｌの上半部１１６ａおよび下半部１１６ｂに対応するものである。
【００４０】
そして、載置部１０２に基板ボックス３０を載置したとき、基本的に可動ベース部１００から露出した基板ボックス３０の外壁面と可動ベース部１００の外壁面とが面一に連なるようになっている。
このため、基板ボックス３０の後壁３２も可動ベース部１００の後壁部１０６および膨出部１０６ａに対応して基本外形から退避したオフセット領域４２ａ、４２ｂを有している。
後壁３２のオフセット領域４２ａにおける可動ベース部１００の後壁部１０６の上縁に対向する周面には、突起１３２に対応する係止穴４３が形成されている。
また、被保持部３８の下端もオフセットさせて、下端壁３４からの高さが可動ベース部１００における溝１１８の段差面１１９の高さに対応させてある。
【００４１】
右側の側方張出し部３７Ｒは基本前後幅のまま張り出し、右側の側部ブロック１０４Ｒ周りの各壁部外面はその境界部分で面一となるようにしてある。
一方、左側の側方張出し部３７Ｌの上半部は基本前後幅のままであるが、下半部は後述する切欠き２１２により、基本前後幅より薄くなっている。切欠き２１２はソケット４５に接続されたコネクタ２８から延びるケーブル２７を引き出すケーブル通路２４の一部を形成するが、これについては後述する。
前述のように、載置部１０２に基板ボックス３０を載置したとき、可動ベース部１００から露出した基板ボックス３０の外面と左側の側部ブロック１０４Ｌまわりの各壁部外面との間でもその境界部分で基本的に面一となるが、ただし、保持壁１１６Ｌの前端面上には第１の剥し方向係止部２２０ｅ、第２のスライド方向係止部２４０、ケーブル押え１４０などが形成されているので、保持壁１１６Ｌまわりでは単純に面一とはなっていない。
【００４２】
基板ボックス３０の下端壁３４の左右両端には、突片４０が形成されている。突片４０は下端壁３４の後端縁から下方に延びており、基板ボックス３０が可動ベース部１００に載置されたとき載置部１０２の連通穴１３０に進入して貫通穴１２９を塞ぐように設定される。これによって基板ボックスが設置された状態で固定ベースが外されてしまうことを防止することができる。
主基板ユニット２０（基板ボックス３０）は固定ベース部５０Ｌ、５０Ｒを介してスロットマシン１の筐体内に支持された可動ベース部１００に載置され、この載置状態においてソケット４５にケーブル２７のコネクタ２８が接続される。そしてこの後、コネクタ接続部にコネクタカバー３００が取り付けられる。
ここで、コネクタ接続部とはコネクタ２８が挿し込まれたソケット４５まわりを指し、後述するソケット挿通孔２０３およびロックレバー４６を含む。
【００４３】
つぎに、コネクタカバーの取り付け部について説明する。
図１０はコネクタカバー３００の取り付け部を示す部分拡大正面図、図１１は図１０におけるＡ−Ａ部断面図である。
前述のように、コネクタカバー３００はソケット４５とケーブル２７のコネクタ２８との接続部をカバーするもので、その取り付け部はソケット挿通孔２０３を囲んで基板ボックス３０と可動ベース部１００に跨って形成されたカバー嵌め込み領域２１０として区画されている。
なお、ここでは可動ベース部１００を支持している固定ベース部５０は図示省略している。
【００４４】
カバー嵌め込み領域２１０の平面形状はコネクタカバー３００の後述するベース３０５の外周縁形状に対応し、可動ベース部１００にかかる領域を含んで矩形をなしている。
まず、基板ボックス３０においては、カバー嵌め込み領域２１０は前壁３１の表面（前面）からの底壁２１１の深さがコネクタカバー３００の後述のベース３０５の板厚に対応する凹部として、ソケット挿通孔２０３を囲んで形成してある。
カバー嵌め込み領域２１０は前壁３１の上下にわたって延びており、上端は上端壁３３を残し、下端は下端壁３４を抜けて素通しとなっている。なお、左側の側壁３５Ｌに沿う部分は当該側壁で切り落とされている。
【００４５】
コネクタカバー３００との係止のため、カバー嵌め込み領域２１０の底壁２１１には第１の剥し方向係止部２２０（２２０ａ、２２０ｂ、２２０ｃ、２２０ｄ、２２０ｅ）を設けてある。ここでは、第１の剥し方向係止部２２０ａ、２２０ｂ、２２０ｄ、２２０ｃが基板ボックス３０側におけるソケット挿通孔２０３の右側の上端部、中間部、下端近傍、そしてソケット挿通孔２０３の左側の上端部に配設され、第１の剥し方向係止部２２０ｅが可動ベース部１００側の下端近傍に配設されている。
また、とくに図１１に示すように、底壁２１１には、ソケット４５の上下長さに対応する幅の切欠き２１２が、ソケット挿通孔２０３から側壁３５Ｌおよび側方張出し部３７Ｌ下半部それぞれの外方端面に開口するまで形成されている。すなわち、切欠き２１２は側壁３５Ｌと側方張出し部３７Ｌの双方に跨り、カバー嵌め込み領域２１０の底壁２１１より深いケーブル通路２４の一部となる。
なお、図１０において、符号７８は保持壁１１６のネジ挿通穴１２８から基板ボックス３０の固定用ネジ孔３９に締め込んで可動ベース部１００と基板ボックス３０を固定したネジである。
【００４６】
図１２は第１の剥し方向係止部を拡大して示し、（ａ）は底壁２１１上端部の第１の剥し方向係止部２２０ａの正面図、（ｂ）は（ａ）におけるＢ−Ｂ部断面図、（ｃ）は（ａ）におけるＣ−Ｃ部断面図である。図１２の（ｄ）は底壁２１１下端近傍の第１の剥し方向係止部２２０ｄにおける（ｂ）に相当する断面図である。
第１の剥し方向係止部２２０ａは、所定幅を有して底壁２１１の表面（前面）から所定の深さまで形成された幅広溝部２２１ａと、幅広溝部２２１ａに同幅で連通する空間２２２の前面開口部をスリット２２３を残して覆った引掛部２２４ａとからなっている。スリット２２３はコネクタカバー３００における後述の係止部３１５のリブ３１７との干渉を逃げるためのものであり、ソケット挿通孔２０３と並行に上下方向に延び、幅広溝部２２１ａのソケット挿通孔２０３側の辺に沿っている。
また、幅広溝部２２１ａの上下方向サイズはコネクタカバー３００の係止部３１５ａが進入可能に設定してある。
【００４７】
引掛部２２４ａは上下方向に沿って厚さ一定で、その表面は底壁２１１と面一であるとともに、裏面と幅広溝部２２１ａの溝底２２５ａとは高さ（前後）方向に係止部３１５ａの後述する引掛部３１６ａの進入を可能とする所定の間隙を有している。
引掛部２２４ａは、コネクタカバー３００の引掛部３１６ａを幅広溝部２２１ａから進入させて当該引掛部２２４ａの裏面側に位置させたとき、引掛部３１６ａの剥し方向（底壁２１１に対する垂直方向）への抜けを阻止する。
なお、幅広溝部２２１ａに連通する空間２２２はスリット２２３と引掛部２２４ａの成形型を通すため、溝底２２５ａが切欠かれている。
【００４８】
とくにソケット挿通孔２０３右側の上端部と中間部に設けた第１の剥し方向係止部２２０ａ、２２０ｂの間には、図１０にも示すように、各スリット２２３を結ぶ線上にスリット２２３と同幅の細溝２１３ａが形成されて、一方の幅広溝部２２１ａから他方の空間２２２に連通している。細溝２１３の深さは幅広溝部２２１ａの深さと同じになっており、コネクタカバー３００の後述する延長リブ３１８ａを受け入れ可能となっている。
第１の剥し方向係止部２２０ａと２２０ｂは同一形態であるが、第１の剥し方向係止部２２０ｃは２２０ａに対して左右対称となっている。図１０に示すように、第１の剥し方向係止部２２０ｃの空間には短い細溝２１３ｂが連なっている。
第１の剥し方向係止部２２０ｄは、図１２の（ｄ）に示すように、引掛部２２４ｄの下端の厚さが引掛部２２４ａと同じで上方に行くにしたがって厚さが増大して、裏面が直線的な傾斜面となっている点が異なり、その他は引掛部２２４ａと同じである。コネクタカバー３００の引掛部３１６ｄが引掛部２２４ｄの裏面側に位置して係止する。
【００４９】
下端近傍の第１の剥し方向係止部２２０ｄの上方に隣接して、さらに第１のスライド方向係止部２３０を設けてある。
図１３は第１のスライド方向係止部２３０を拡大して示し、（ａ）は正面図、（ｂ）は（ａ）におけるＤ−Ｄ部断面図、（ｃ）は（ａ）におけるＥ−Ｅ部断面図である。
第１のスライド方向係止部２３０は、底壁２１１に第１の剥し方向係止部２２０ａの幅広溝部２２１ａと同様の幅をもって底壁２１１の右側辺縁に沿って形成した幅広溝部２３１内の右側側壁に爪部２３２を形成して構成されている。
【００５０】
爪部２３２は上端に幅広溝部２３１の溝幅中間まで延びた係止面２３３を有し、その下側に右側側壁に向かう傾斜面２３４を有している。係止面２３３は上下方向に対して垂直である。
爪部２３２の係止面２３３から傾斜面２３４にわたる前縁は面取りされている。
幅広溝部２３１の深さは幅広溝部２２１ａよりも深く、爪部２３２は幅広溝部２３１の深さの中間に位置しており、爪部２３２と溝底２３６とは高さ（前後）方向に所定の間隙を有している。
なお、溝底２３６から所定の間隙を有する爪部２３２の成形型のため、溝底２３６は爪部２３２に対応する部分が切欠かれている。
【００５１】
つぎに可動ベース部１００においては、保持壁１１６Ｌの上半部１１６ａの前端面が、可動ベース部１００に基板ボックス３０を載置したときの切欠き２１２の底面と面一となるように設定してある。これにより、上半部１１６ａの前端面と切欠き２１２とでケーブル通路２４が形成される。
【００５２】
ケーブル押え１４０は、図７に示されるように、保持壁１１６Ｌの上半部１１６ａ前端面の下端から前上方へ斜めに立ち上がった脚壁１４１と、脚壁１４１の前端から上半部１１６ａと平行に保持壁１１６Ｌの上端に対応する位置まで延びる押えバー１４２とからなっている。脚壁１４１の近傍には押えバー１４２の倒れを防止する支持脚１４３が形成されている。
図１４は図１０におけるＷ−Ｗ部断面図である。
脚壁１４１の上端（前端）部には第２の剥し方向係止部として下方に開口する係止穴２２８が形成され、コネクタカバー３００の後述する係止片３１４が進入可能となっている。
【００５３】
保持壁１１６Ｌの下半部１１６ｂの前端面上にはネジ挿通穴１２８より下方に第２のスライド方向係止部２４０が設けられ、さらにその下方には前述の第１の剥し方向係止部２２０ｅが設けてある。
図１５は第２のスライド方向係止部２４０を拡大して示し、（ａ）は正面図、（ｂ）は（ａ）におけるＦ−Ｆ部断面図、（ｃ）は（ａ）におけるＧ−Ｇ部断面図である。
第２のスライド方向係止部２４０は、上端に上下方向に垂直な係止面２４３を有し、その下側に内方へ傾斜する傾斜面２４４を有する爪部２４２で構成されている。係止面２４３は下半部１１６ｂの内方端縁から下半部１１６ｂの幅の中間まで延びている。
【００５４】
第２のスライド方向係止部２４０の下方には、取っ手兼係止部１２０Ｌの側壁１２２に連なり下半部１１６ｂから全幅にわたって前方へ立ち上がった２つの横支持壁２４６、２４７（図７参照）が上下方向に所定の間隔を置いて設けてある。
横支持壁２４６の上側には、当該横支持壁２４６の一部を下辺とする矩形枠形状のベース受け部２５０が下半部１１６ｂの内方端縁に沿って形成され、その上端が爪部２４２の傾斜面２４４の下端に連なっている。
【００５５】
図１６は第１の剥し方向係止部２２０ｅを拡大して示し、（ａ）は正面図、（ｂ）は（ａ）におけるＨ−Ｈ部断面図、（ｃ）は（ａ）におけるＪ−Ｊ部断面図である。
第１の剥し方向係止部２２０ｅは基板ボックス３０側の第１の剥し方向係止部２２０ｄの引掛部と同じ引掛部２２４ｄを側壁１２２から内方へ延ばしている。
第１の剥し方向係止部２２０ｅの引掛部２２４ｄは第１の剥し方向係止部２２０ｄの引掛部２２４ｄと上下方向で互いに同じ高さとなる位置に設定してある。第１の剥し方向係止部２２０ｅの引掛部２２４ｄの上端は横支持壁２４６に連なっている。
そして、２つの横支持壁２４６、２４７の間が第１の剥し方向係止部２２０ｅの幅広溝部２２１ｅを構成し、下半部１１６ｂの前端面がその溝底２２５ｅとなる。引掛部２２４ｄの裏面と溝底２２５ｅの間は十分な間隙があり、コネクタカバー３００の係止部３１５ｅの後述する引掛部３１６ｄの進入が可能である。
【００５６】
第１の剥し方向係止部２２０ｅの引掛部２２４ｄを含み、上述した爪部２４２、横支持壁２４６、２４７およびベース受け部２５０の前端面はいずれも可動ベース部１００に基板ボックス３０を載置したときの基板ボックス３０におけるカバー嵌め込み領域２１０の底壁２１１と面一となるように設定してある。また、側壁１２２にも引掛部２２４ｄ、横支持壁２４６、２４７等と同じ高さで段差１２２ａを形成してある。
可動ベース部１００においては、保持壁１１６Ｌ（上半部１１６ａおよび下半部１１６ｂ）における側壁１２２より内方側がカバー嵌め込み領域２１０の一部となる。
【００５７】
図７に示されるように、載置部１０２の両端と段差面１１９との間には接続壁１１７が設けられ、接続壁１１７は保持壁１１６Ｌ（下半部１１６ｂ）を越えて載置部１０２の前端部分まで延び、下半部１１６ｂを越えた部分の上縁は下側の横支持壁２４７の内方端に連なっている。
そして、図１０におけるＫ−Ｋ部断面図である図１７に示すように、基板ボックス３０および可動ベース部１００のカバー嵌め込み領域２１０に対応する前壁部１０５から取っ手兼係止部１２０Ｌの前壁１２１にかけて、載置部１０２の前端縁およびその外方（左方）への延長線上の角部が切り欠かれて、傾斜面２５２となっている。
接続壁１１７の前端面は傾斜面２５２と同じ傾斜でカバー嵌め込み領域２１０の底壁２１１と同じ高さにある横支持壁２４７の前端面に向かっている。
【００５８】
図１８はコネクタカバー３００を示し、（ａ）は正面図、（ｂ）は左側面図、（ｃ）は右側面図、（ｄ）は下方から見た端面図である。図１９はコネクタカバー３００の裏面図である。図２０は各部の断面を示し、（ａ）は図１８の（ａ）におけるＬ−Ｌ部、（ｂ）は図１８の（ａ）におけるＭ−Ｍ部の断面図、（ｃ）は図１９におけるＮ−Ｎ部の断面図である。
コネクタカバー３００は外縁が縦細の矩形をなすベース３０５からコネクタ収容部３０６を膨出させている。コネクタ収容部３０６は側辺が不等長の台形をなす横断面を有している。ベース３０５の下端縁は裏面側が面取りされて傾斜面３４５となっている。
【００５９】
コネクタカバー３００は下部において微小なスリットにより長尺の第１部３０１とそれぞれ短尺の第２部３０２および第３部３０３に３分割され、ベース３０５の左右の側縁からそれぞれ延びる耳片３０７、３０８によって連結されている。
コネクタカバーの第１部３０１には、コネクタ収容部３０６に連なって、可動ベース部１００のケーブル押え１４０に対応させたケーブル押え収容部３１０が膨出させて形成されている。
【００６０】
各耳片３０７、３０８はベース３０５の第１部３０１の分割端近傍から第３部３０３の分割端近傍にわたる側縁に沿ってフランジ状に形成されているが、とくに、左側の耳片３０７はベース３０５から前方へ垂直に延び、右側の耳片３０８は先端がコネクタ収容部３０６から離間する方向に傾斜して延びている。
第１部３０１の分割端と第３部３０３の分割端にはそれぞれ外面側に突のビード３４３が設けられて、断面形状保持の補強となっている。
耳片３０７、３０８には第１部３０１から第３部３０３の各部との接続部分の間に切欠き３０９が形成されて、当該切欠き３０９で細幅となった部分が易破断部となっている。
【００６１】
コネクタカバー３００のベース３０５の裏面には、カバー嵌め込み領域２１０における第１の剥し方向係止部２２０に対応する係止部３１５（３１５ａ、３１５ｂ、３１５ｃ、３１５ｄ、３１５ｅ）と、第２の剥し方向係止部（係止穴２２８）に対応する係止片３１３と、第１のスライド方向係止部２３０に対応する係止部３２０と、第２のスライド方向係止部２４０に対応する係止部３３０が形成されている。
【００６２】
図２１は剥し方向にかかる係止部３１５ａを示し、（ａ）は図１９における係止部３１５ａの拡大図、（ｂ）は（ａ）におけるＰ−Ｐ矢視図、（ｃ）は（ａ）におけるＱ−Ｑ部断面図である。
係止部３１５ａは、ベース３０５から後方へ延びる片ｖとその後端から上方へ延びる片ｗとからなるＬ字状の引掛部３１６ａを有し、その内方側（コネクタ収容部３０６側）をベース３０５から上方へ延びる片ｗまで立ち上げたリブ３１７に接続して構成されている。上方へ延びる片ｗとベース３０５裏面との間隙は第１の剥し方向係止部２２０ａの引掛部２２４ａの厚さに対応させてあり、リブ３１７の左右方向位置はスリット２２３に対応させてある。
係止部３１５ｂは係止部３１５ａと同一、係止部３１５ｃは係止部３１５ａと左右対称である。
【００６３】
図１９に示すように、係止部３１５ａと３１５ｂの間にはこれらの係止部のリブ３１７を結ぶ上下線上に位置してベース３０５の側縁に沿った延長リブ３１８ａが接続している。
係止部３１５ｃにも後方へ延びる片ｖより下方に所定長さの延長リブ３１８ｂが接続している。
なお、係止部３１５ｄにおいては、図２１の（ｂ）に対応する図２２に示すように、引掛部３１６ｄの上方へ延びる片ｗをベース３０５裏面との間隙が大きくなるように傾斜させてある。この傾斜は第１の剥し方向係止部２２０ｄの引掛部２２４ｄ裏面の傾斜に対応させてある。その他は図２１に示した係止部３１５ａと同じである。
係止部３１５ｅは係止部３１５ｄと左右対称である。
【００６４】
図２３はスライド方向にかかる係止部３２０を示し、（ａ）は図１９における係止部３２０の拡大図、（ｂ）は（ａ）におけるＲ−Ｒ矢視図、（ｃ）は（ｂ）におけるＳ−Ｓ部断面図、（ｄ）は（ｂ）におけるＴ−Ｔ部断面図である。
係止部３２０は、ベース３０５の長手方向（上下方向）と平行にベース３０５から後方へ延びた矩形の縦壁部３２１に、第１のスライド方向係止部２３０の爪部２３２と係止するための矩形の係止穴３２５を形成して構成され、縦壁部３２１は弾性変形により先端側がねじれ、および板厚方向に曲げ可能となっている。
【００６５】
縦壁部３２１は第１のスライド方向係止部２３０の幅広溝部２３１の右側側壁に沿うように配置され、外方側の上縁および先端縁にそれぞれ面取りにより傾斜面３２２、３２３を形成してある。とくに上辺の傾斜面３２２は、（ｃ）に示すように、上下方向に対して浅い角度になっている。
また、係止穴３２５の先端縁（ベース３０５から遠い辺）には、外方側（コネクタ収容部３０６と反対側）に略４５°の傾斜面３２６を形成してある。
【００６６】
図２４はスライド方向にかかる係止部３３０を示し、（ａ）は図１９における係止部３３０の拡大図、（ｂ）は（ａ）におけるＵ―Ｕ矢視図、（ｃ）は（ａ）におけるＶ−Ｖ部断面図である。
係止部３３０は、ベース３０５から後方へ立ち上がったあと上方へ延びる弾性片部３３１と、弾性片部の上端に形成された爪３３２とから構成されている。
弾性片部３３１はベース３０５に対して垂直の板状で、その前縁とベース３０５裏面との間に間隙をもっている。弾性片部３３１が撓んで爪３３２部が左右方向に変位可能となっている。
【００６７】
爪３３２は内方（コネクタ収容部３０６側）を向いており、第２のスライド方向係止部２４０の爪部２４２と係止するための上下方向に垂直な係止面３３３と、その内端から外方へ傾斜する傾斜面３３４を有する。
弾性片部３３１の内側面は第２のスライド方向係止部２４０の爪部２４２における係止面２４３から傾斜面２４４に移行する点に対応するように設定してある。
ベース３０５裏面から弾性片部３３１の後縁までの高さｈは、カバー嵌め込み領域２１０の底壁２１１から保持壁１１６Ｌの下半部１１６ｂの前端面までの深さよりも小さく設定してある。
【００６８】
つぎに、ケーブル押え収容部３１０の下端壁３１０ｂからは、図２０の（ａ）に示すように、係止片３１３がケーブル押え収容部３１０内に向けて前壁３１０ａと間隙をもって上方に延びている。
係止片３１３は可動ベース部１００におけるケーブル押え１４０の係止穴２２８に対応させてあり、係止穴２２８への進入を容易にするため、先端の前角は傾斜面３１４としてある。
なお、前壁３１０ａと間隙をもった係止片３１３をコネクタカバー３００内に形成する成形型のため、ケーブル押え収容部３１０はその前壁３１０ａから下端壁３１０ｂにかけて部分的に切り欠かれている。
【００６９】
コネクタカバー３００の左側の側辺部はケーブル通路２４を横切る間、ベース３０５は底壁２１１と当接せず宙に浮くので、とくに図１９に示されるように、ベース３０５の裏面には側縁に沿ってケーブル押え収容部３１０から延長リブ３１８ｂ近傍にわたるビード３４２を設けて剛性を高くしている。また、ベース３０５の側縁に沿って前方へ立ち上がっているケーブル押え収容部３１０の側壁３１０ｃ（図２０の（ｂ）参照）もベースの剛性を高めている。
【００７０】
以上説明した各係止部はコネクタカバー３００がカバー嵌め込み領域２１０に嵌め込まれた状態、すなわちコネクタカバー３００の上端がカバー嵌め込み領域２１０の上縁（基板ボックスの上端壁３３）に当接する位置において、カバー嵌め込み領域２１０の対応する係止部と係止するように関係付けられる。
すなわち、係止部３１５ａ〜３１５ｃはその各引掛部３１６ａが第１の剥し方向係止部２２０ａ〜２２０ｃの各引掛部２２４ａと重なり、係止部３１５ｄ、３１５ｅはその各引掛部３１６ｂが第１の剥し方向係止部２２０ｄ、２２０ｅの各引掛部２２４ｄと重なり、係止部３２０はその縦壁部３２１の係止穴３２５が第１のスライド方向係止部２３０の爪部２３２と係止関係となる。
また、係止部３３０はその爪３３２の係止面３３３が第２のスライド方向係止部２４０の爪部２４２の係止面２４３と係止関係となる。
【００７１】
なお、第１、第２のスライド方向係止部２３０、２４０に対応する係止部３２０と係止部３３０はコネクタカバー３００の上下方向において略同じ高さに配置され、コネクタカバーの第２部３０２は、上述した係止部のうちこの係止部３２０と係止部３３０とを含み、他の剥し方向係止部２２０等に対応する係止部を含まないように設定してある。
図２０の（ｃ）に示すように、第２部３０２にはコネクタ収容部３０６を横切る横隔壁３４７が設けてある。横隔壁３４７の後端縁はベース３０５の裏面と面一とされている。
【００７２】
横隔壁３４７の上下方向位置は、カバー嵌め込み領域２１０へのコネクタカバー３００の取り付け完了位置において、ソケット４５に挿し込まれたコネクタを抜け止めロックして底壁２１１に対する直立位置になったロックレバー４６の下方に近接するように設定されている。これにより、コネクタカバー３００の取り付け過程において、横隔壁３４７がロックレバー４６の開放状態である倒れ位置からロック状態の直立位置までの回動軌跡の範囲内を横切ることになる。
なお、横隔壁３４７はコネクタカバー３００がカバー嵌め込み領域２１０に嵌め込まれる過程でロックレバー４６の回動軌跡を横切るように設定されるもので、第２部３０２がロックレバー４６の回動軌跡上に位置しない場合には、回動軌跡範囲をカバーする第１部３０１または第３部３０３に設けてもよい。
【００７３】
以上の構成を備えたコネクタカバー３００は、次の要領でカバー嵌め込み領域２１０に嵌め込む。
まず、傾倒姿勢位置とした可動ベース部１００に基板ボックス３０を載置する。
基板ボックス３０の下端壁３４が載置部１０２上に着座するとともに、第１、第３の封止結合部７０、７２や封止構造形成部７５ａ、７６などが第１区画１０９ａ〜第４区画１０９ｄに収容される。また、突片４０が連通穴１３０に進入する。
つぎに、可動ベース部１００の保持壁１１６のネジ挿通穴１２８からネジ７８を基板ボックス３０の固定用ネジ孔３９に締め込んで、基板ボックス３０を可動ベース部１００に固定する。この場合、可動ベース部１００を起立姿勢にして行うと作業が容易となる。
基板ボックス３０が可動ベース部１００に固定されると、両者にわたるカバー嵌め込み領域２１０がコネクタカバー３００嵌め込み可能に準備されたことになる。
【００７４】
固定ベース部５０の姿勢保持部６２と可動ベース部１００の係止孔１２４を係止させて可動ベース部１００を起立姿勢位置に保持した状態で、ケーブル２７のコネクタ２８を基板ボックス３０のソケット４５に挿し込んで接続する。
この際、ケーブル２７はケーブル押え１４０の裏側に潜らせ、ケーブル通路２４を通るように配索する。
なお、コネクタ２８はロックレバーが倒れてソケット４５の口が開いた状態で挿し込む。コネクタ２８がソケット４５に確実に挿し込まれるとその過程においてロックレバーを回動させ、正規の接続状態ではロックレバーが直立位置となってロックされる。
【００７５】
このあと、コネクタカバー３００を取り付ける。
ここではまず、コネクタカバー３００の上下をカバー嵌め込み領域２１０の上下方向に合わせ、コネクタカバー３００裏面の係止部３１５が第１の剥し方向係止部２２０の各幅広溝部２２１（２２１ａ、２２１ｅ）上に位置するように所定量ずらせて対向させる。
そして、ベース３０５を底壁２１１に押し付けて係止部３１５を幅広溝部２２１内に沈ませ、それからその押し付け状態を維持したままコネクタカバー３００を上方へスライドさせて、係止部３１５の引掛部３１６（３１６ａ、３１６ｄ）をカバー嵌め込み領域２１０の引掛部２２４（２２４ａ、２２４ｄ）の裏面側に進入させる。
【００７６】
ここで、コネクタ２８がソケット４５に対して正規の接続状態に挿し込まれていれば、図２５の（ａ）に示すように、ロックレバー４６が直立位置にあり、コネクタカバー３００はその横隔壁３４７がカバー嵌め込み領域２１０の底壁２１１上を滑って、障碍なくスライドする。
なお、図２５および次の図２６には、理解を容易にするため、断面は異なるがコネクタ接続部と係止部を重ねて示している。
一方、コネクタ２８のソケット４５への挿し込みが不十分で正しく接続されていないときは、ロックレバー４６が回動軌跡の途中にあり、（ｂ）に示すように、横隔壁３４７がロックレバー４６と干渉して係止部３１５を幅広溝部２２１内に沈ませることができず、結果として各引掛部３１６を引掛部２２４の裏面側に進入させることができない。
したがって、コネクタ２８が正規の接続状態になければコネクタカバー３００を取り付けることはできないから、あらためてコネクタ２８の挿し込みをやり直し、必要に応じて最後に手でロックレバー４６を直立位置まで起こしてロックする。
【００７７】
なお、ベース３０５を底壁２１１に押し付けて引掛部３１６を幅広溝部２２１内に位置させた状態において、コネクタカバー３００はその下端部が底壁２１１よりも前方に高いカバー嵌め込み領域外に乗っているので、コネクタカバー３００の下部は湾曲し、ベース３０５裏面が底壁２１１から若干浮くことになる。
ここで、コネクタカバー３００の下端部近傍に位置する係止部３１５ｄ、３１５ｅの各引掛部３１６ｄは、その上方へ延びる片ｗが傾斜してその上端とベース３０５の裏面との間隙が拡がっているので、コネクタカバー３００を上方へスライドさせる際、他位置の引掛部３１５ａ等と同様に支障なくカバー嵌め込み領域２１０の引掛部２２４ｄの裏面側に進入することができる。
なお、可動ベース部１００の載置部１０２の角部を切り欠いた傾斜面２５２により、コネクタカバー３００の湾曲の程度をできるだけ抑えてベース３０５裏面と底壁２１１間の間隙が小さくなるようにしている。
【００７８】
コネクタカバー３００のスライドの間、係止部３２０は、その縦壁部３２１がねじれながら、上縁の傾斜面３２２がカバー嵌め込み領域２１０における爪部２３２の傾斜面２３４に乗り上げていく。
係止部３３０は、その弾性片部３３１が撓みながら、爪３３２の傾斜面３３４がカバー嵌め込み領域２１０における爪部２４２の傾斜面２４４に乗り上げていく。
また、ケーブル押え収容部３１０内に延びる係止片３１３がケーブル押え１４０の係止穴２２８に進入していく。
【００７９】
そして、コネクタカバー３００をその上端縁がカバー嵌め込み領域２１０の上縁に当接するまでスライドさせると、コネクタカバー３００はカバー嵌め込み領域２１０に嵌め込まれた状態の取り付け完了位置となり、ベース３０５が湾曲から平坦な状態へ戻るとともに、コネクタカバー３００とカバー嵌め込み領域２１０の各係止部は互いに係止状態となる。
【００８０】
すなわち、図２６に示すように、係止部３１５ａ（および３１５ｂ、３１５ｃ）の引掛部３１６ａが第１の剥し方向係止部２２０ａ（および２２０ｂ、２２０ｃ）の引掛部２２４ａの裏面側に重なって互いに係止し、係止部３１５ｄ（および３１５ｅ）の引掛部３１６ｄが第１の剥し方向係止部２２０ｄ（および２２０ｅ）の引掛部２２４ｄの裏面側に重なって、コネクタカバー３００の引き剥がし方向の抜けが規制される。
コネクタカバー３００の下端部近傍の係止部３１５ｄ、３１５ｅの引掛部３１６ｄは上方へ延びる片ｗが傾斜してその先端とベース３０５裏面間が開いているが、取り付け完了位置では上方へ延びる片ｗとベース裏面間の間隙が引掛部２２４ｄの板厚形状に整合しているので、ガタの発生はない。
さらに、図２７に示すように、コネクタカバー３００の係止片３１３は係止穴２２８に進入してケーブル押え１４０に係止し、コネクタカバー３００の引き剥がし方向の抜けが規制される。
【００８１】
また、図２８の（ａ）に示すように、係止部３２０の縦壁部３２１の係止穴３２５に第１のスライド方向係止部２３０の爪部２３２が嵌まり込み、係止穴３２５の穴縁と爪部２３２の係止面２３３が係止してコネクタカバー３００の矢示のスライド方向の抜けが規制される。
同様に、図２８の（ｂ）に示すように、係止部３３０の爪３３２の係止面３３３と第２のスライド方向係止部２４０の爪部２４２の係止面２４３が係止して、これによってもコネクタカバー３００の矢示のスライド方向の抜けが規制される。
【００８２】
カバー嵌め込み領域２１０に嵌め込まれた取り付け完了位置で、コネクタカバー３００の下端縁は可動ベース部１００の傾斜面２５２内に位置し、ベース３０５の前面は下端部を含めて周辺の基板ボックス３０の前壁３１および可動ベース部１００の前壁部１０５と面一となる。
なお、板状のベース３０５の裏面には係止部３１５ａ、３１５ｂ間の延長リブ３１８ａ、係止部３１５ｃのリブ３１７に続く延長リブ３１８ｂやビード３４２が形成されて剛性が高められている。またとくに左側の側辺についてはケーブル押え収容部３１０の側壁３１０ｃとも相俟ってベース３０５の剛性が高められているためコネクタカバー３００は撓みにくいものとなっている。
【００８３】
以上のようにしてコネクタカバー３００がカバー嵌め込み領域２１０に嵌め込まれると、引き剥がし方向の抜けを規制する係止部分はもちろんのこと、スライド方向の抜けを規制する爪部２３２と係止穴３２５の係止部分、および爪部２４２と爪３３２の係止部分もコネクタカバー３００自体の裏面側に隠れる。
そして、ベース３０５の表面（前面）は周辺と面一であるとともに、ベースの周縁は、ケーブル通路２４を横切る部分を除いて、底壁２１１および段差１２２ａ上に着座しているから、これらが周辺との隙間を塞いでおり各係止部分へ外部から直接アクセスすることは不可能である。
【００８４】
このため、一旦取り付けたコネクタカバー３００はこれをスライドさせることができず、したがって、スライドさせて引掛部３１６と引掛部２２４との係止を解除してから、コネクタカバー３００を引き剥がし方向に取り外すこともできないから、取り付け状態が封止されたことになる。
したがってまた、ネジ挿通穴１２８から基板ボックス３０の固定用ネジ孔３９に締め込まれているネジもコネクタカバー３００によって隠れるので、基板ボックス３０と可動ベース部１００の結合も封止され、可動ベース部１００から基板ボックス３０を取り外すこともできない。
【００８５】
コネクタカバー３００の封止を解除するには、コネクタカバー３００の第１部３０１、第２部３０２および第３部３０３を連結している耳片３０７、３０８の切欠き３０９が形成された易破断部をニッパなどにより切断することにより、第２部３０２を第１部３０１および第３部３０３から分離する。
なお、本実施の形態ではカバー嵌め込み領域２１０が主基板ユニット２０の左端部に設けられ、筐体本体２内でのスペースに制約の多い部位であることから、左側の耳片３０７は他部材との干渉を避けてベース３０５から前方へ垂直に延ばす一方、右側の耳片３０８は切断作業が容易となるように斜めに延ばしている。
【００８６】
分離された第２部３０２は、スライド方向の抜けを規制するための係止部３２０と係止部３３０のみが形成され、剥し方向の抜けを規制するための係止部を含んでいないから、剥し方向に引き抜くことができる。
すなわち、図２９に示すように、係止部３２０は、係止穴３２５の傾斜面３２６を第１のスライド方向係止部２３０の爪部２３２の傾斜面２３５上に滑らせながら、縦壁部３２１が弾性変形して爪部２３２から離脱する。
また、係止部３３０は、爪３３２の係止面３３３が第２のスライド方向係止部２４０における爪部２４２の係止面２４３上を滑って爪部２４２から離脱する。
【００８７】
この後は、第１部３０１と第３部３０３はいずれもスライド方向の抜けを規制するための係止部を含んでいないから、それぞれ下方へスライドさせることができ、係止部３１５の引掛部３１６を第１の剥し方向係止部２２０の引掛部２２４との係止から解放できる。
こうして、コネクタカバー３００をカバー嵌め込み領域２１０から取り外し、コネクタ接続部へのアクセスが可能となる。
以上のように、コネクタカバー３００を切断破壊し、その痕跡が残ることなしにはコネクタ接続部にアクセスすることができず、コネクタ接続部から制御プログラム等の変更が不正に行われることを確実に防止することが可能となる。
なお、コネクタ２８が正規の接続状態になければコネクタカバー３００を取り付けることはできないので、その時点でコネクタ２８の挿し込みをやり直すことができる。したがって、接続不完全なままで取り付けてしまったあとに気付いて直そうとしても封止されているため、コネクタカバーを破壊しなければならないという事態が避けられる。
【００８８】
実施の形態では、カバー嵌め込み領域２１０は主基板ユニット２０の左端部において基板ボックス３０と可動ベース部１００とに跨って形成されたものとしたが、主基板２３上のソケット４５の位置に応じて配置を設定すればよく、基板ボックス３０にのみ形成してもよい。
また、コネクタカバー３００は縦長として上方向にスライドさせてカバー嵌め込み領域２１０に取り付けるよう各係止部の向きを設定したが、下方向にスライドさせて取り付け、あるいは左右方向にスライドさせて取り付けるようにしてもよい。
カバー嵌め込み領域は実施の形態の縦長に限定されず、ソケット４５の配置に応じて横長としてもよい。
【００８９】
さらには、実施の形態では剥し方向係止のため、引掛部２２４を備える第１の剥し方向係止部２２０と引掛部３１６を備える係止部３１５の組み合わせ、およびケーブル押え１４０の係止穴２２８からなる第２の剥し方向係止部と係止片３１３の組み合わせを用い、スライド方向係止のため、爪部２３２を備える第１のスライド方向係止部２３０と係止穴３２５を有する縦壁部３２１を備える係止部３２０の組み合わせ、および爪部２４２を備える第２のスライド方向係止部２４０と先端に爪３３２を有する弾性片部３３１を備える係止部３３０の組み合わせを用いているが、これらの各係止手段を構成する引掛部や係止片、縦壁部、あるいは爪部等はコネクタカバー３００側とカバー嵌め込み領域２１０側の間で互いに入れ替えて形成してもよい。
また、剥し方向の分離を阻止する機能を有する係止手段およびスライド方向の分離を阻止する機能を有する係止手段であれば、その形態は問わず任意のものを採用することができる。
【００９０】
したがってまた、カバー嵌め込み領域２１０およびコネクタカバー３００の形状は矩形としたが、これに限定されず、採用する係止手段に応じて外周形状が異形のものであってもよい。
剥し方向の分離を阻止する機能を有する係止手段およびスライド方向の分離を阻止する機能を有する係止手段はコネクタカバーのサイズ、形状に応じて少なくとも各１組ずつあればよい。
すなわち、実施の形態ではコネクタカバー３００を剥し方向にかかる係止部を備える第１部３０１と第３部３０３、およびスライド方向にかかる係止部を備える第２部３０２の３部分に分離可能のものとしたが、係止手段の組数が少ない場合は２部分に分離可能であればよい。
【００９１】
また、コネクタカバー３００の横隔壁３４７をロック状態のロックレバー４６の下方近傍位置に対応させることにより、コネクタ２８がソケット４５に確実に接続されていないときには直立位置に達していないロックレバー４６に横隔壁３４７が干渉してコネクタカバー３００を取り付けることができないものとしたが、これに限定されない。
たとえば、横隔壁３４７をソケット４５に正規状態に挿し込まれたコネクタ２８の挿し込み方向である前端面（背中）と、当接または微小な間隙で対向するように設定して、コネクタ２８の挿し込みが不十分な場合に横隔壁３４７がコネクタ２８の前端面に乗り上げるようにしてもよい。これによっても、そのままではコネクタカバー３００を取り付けることができないから、コネクタ２８がソケット４５に確実に接続されていないことがわかり、コネクタカバー取り付け前に接続し直すことができる。
【００９２】
この場合、横隔壁３４７をコネクタ２８の長手方向（上下方向）の両端近傍に対応するよう離間させて２箇所に設ければ、コネクタ２８が上下不均等の斜めに挿し込まれている場合にも精度良く発見される。
なお、横隔壁３４７がコネクタ２８の背中に対応しているから、不完全な接続状態であることが判明したとき、コネクタカバー３００を意識的に押し付けることにより横隔壁を介してコネクタを正規接続状態に是正することも可能である。
これら横隔壁をコネクタ２８の背中に対応させる場合、ソケットに正規状態に挿し込まれたコネクタの前端面の高さがカバー嵌め込み領域２１０の底壁２１１よりも前方へ突出する場合には、当然に横隔壁３４７の後端縁の高さはその突出量に応じて退避するよう設定すればよい。
【００９３】
実施の形態は基板ボックスにおける１つのコネクタ接続部を例として示したが、基板ボックスに複数のコネクタ接続部がある場合には、それぞれに対してコネクタカバーの封止構造を適用することができる。
さらに、本発明は基板ボックスに対するコネクタカバーに限らず、遊技機内において取り付け状態を封止する必要がある種々の構造体にも適用可能である。例えば、制御基板を収容する基板ボックスを形成する第１ボックスと第２ボックスを封止した状態とするための封止構造に本発明を適用してもよく、あるいは基板ボックスを遊技機本体に取り付けて封止した状態とするための封止構造に適用してもよい。
【００９４】
さらに、実施の形態は遊技機としてスロットマシンに適用した例を示したが、本発明はこれに限定されず、異なるタイプの遊技機、具体的には遊技媒体として遊技球を用いる弾球式の遊技機、いわゆるパチンコ機等に適用してもよい。例えば、特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機として実施するようにしてもよい。
また、弾球式でない遊技機、例えば、外枠に開閉可能に支持された遊技機本体に貯留部および取込装置を備え、貯留部に貯留されている所定数の遊技球が取込装置により取り込まれた後にスタートレバーが操作されることによりリールの回転を開始する、パチンコ機とスロットマシンとが融合された遊技機として実施するようにしてもよい。
【００９５】
以下、上述した実施の形態から抽出される発明の特長を、必要に応じて効果等とともに示す。
（１）第１の構造部材を第２の構造部材に固定してなる構造体を配設した遊技機において、
前記第１の構造部材は接続部を介して接続された第１構造部と第２構造部とを有し、
前記第１構造部と前記第２の構造部材の間には、第１の方向において互いに係止する第１係止手段が設けられ、
前記第２構造部と前記第２の構造部材の間には、前記第１の方向と交差する第２の方向において互いに係止する第２係止手段が設けられ、
前記第１係止手段は前記第１の構造部材を前記第２の構造部材に対して前記第２の方向と逆方向に所定位置まで移動させることにより係止状態となり、
前記第２係止手段は前記第１の構造部材を前記第２の構造部材に対して前記第２の方向と逆方向に前記所定位置まで移動させることにより不可逆の係止状態となるように構成されて、前記第１の構造部材と前記第２の構造部材が固定され、
前記接続部を切断した場合には、前記第２構造部の前記第２の構造部材に対する前記第１の方向の離脱を可能に構成されて、前記第２構造部を取り外すことにより前記固定が解除されることを特徴とする遊技機。
第１の構造部材を第２の構造部材に対して第２の方向と逆方向に所定位置まで移動させることにより、第１係止手段と第２係止手段の双方が係止状態となる。第２係止手段は一旦係止すると不可逆で第１の構造部材を第２の方向に戻すことができないから、第１係止手段も係止状態から解放されず、したがって第１の構造部材は第２の構造部材から取り外し不能の封止状態で固定される。
所定位置まで相対移動させて係止させるだけで、他の別部材等を要することなく封止される。
また、接続部を切断して第１構造部と第２構造部を分離すれば、第２係止手段は第２の方向の係止状態は解放されないが、第１の方向には第２構造部を取り外せるから、その後は残った第１構造部を第１の方向と交差する方向に移動させることができ、第１係止手段による係止状態から解放して取り外すことができる。
【００９６】
（２）前記第２構造部を取り外すことにより該第２構造部の設置領域に前記第１構造部が移動可能になり、該第１構造部を前記第２構造部の設置領域方向に移動させることで前記第１構造部が前記第２の構造部材から取り外し可能になり前記固定が解除されることを特徴とする（１）に記載の遊技機。
第１構造部を第２構造部の設置領域方向に移動させるだけで第１係止手段による係止状態から解放して取り外すことができる。
（３）前記第１構造部が前記第２構造部を前記第２の方向に沿って挟んでおり、
それぞれの前記第１構造部と前記第２の構造部材の間に前記第１係止手段が設けられていることを特徴とする（１）または（２）に記載の遊技機。
第１係止手段が複数箇所において第１の構造部材と第２の構造部材の間を係止するから、両部材の強固な固定状態が得られる。
【００９７】
（４）前記第１係止手段が、前記第１構造部に設けられた第１の引掛部と、前記第２の構造部材に設けられた第２の引掛部とを有し、
前記第１の構造部材の前記第２の方向と逆方向への移動により、前記第１の引掛部が前記第１の構造部材から見て前記第２の引掛部の裏面側に位置して互いに係止するものであることを特徴とする（１）から（３）のいずれか１に記載の遊技機。
簡素な引掛部同士を第１の構造部材と第２の構造部材の相対移動により係止させることにより、簡単に第１の方向に対する結合が得られる。
（５）前記第１係止手段が、前記第１構造部および前記第２の構造部材の一方に設けられて前記第２の方向に沿って延びる係止片と、前記第１構造部および前記第２の構造部材の他方に設けられて前記係止片が進入可能に開口する係止穴とを有して、
前記第１の構造部材の前記第２の方向と逆方向への移動により、前記係止片が前記係止穴に進入して互いに係止するものであることを特徴とする（１）から（３）のいずれか１に記載の遊技機。
係止片が係止穴に進入して互いに係止することにより、簡単に第１の方向に対する結合が得られる。
【００９８】
（６）前記第２係止手段が、前記第２構造部および前記第２の構造部材の一方に設けられて前記第１の方向および前記第２の方向に沿って延びて係止穴を備える縦壁部と、前記第２構造部および前記第２の構造部材の他方に設けられて前記第２の方向を横切る係止面を備える爪部とを有して、
前記第１の構造部材の前記第２の方向と逆方向への移動により、前記縦壁部の弾性変形を経て前記爪部が前記係止穴に嵌り込んで互いに係止するものであり、
さらに、前記爪部と前記係止穴の少なくとも一方には、前記縦壁部の弾性変形により前記第２構造部の前記第１の方向への離脱を許す傾斜面を有していることを特徴とする（１）から（３）のいずれか１に記載の遊技機。
爪部が係止穴に嵌り込むことにより第２の方向に係止して封止されるが、第１構造部と分離して第２構造部を第１の方向に引っ張れば、爪部と係止穴の一方に設けた傾斜面により、縦壁部が弾性変形して爪部と係止穴の係止が外れるから、第２構造部を取り外すことができる。
【００９９】
（７）前記第２係止手段が、前記第２構造部および前記第２の構造部材の一方に設けられて係止面が前記第２の方向を横切る第１の爪部を備えた弾性片部と、前記第２構造部および前記第２の構造部材の他方に設けられて前記第２の方向を横切る係止面を備える第２の爪部とを有して、
前記第１の構造部材の前記第２の方向と逆方向への移動により、前記弾性片部の弾性変形を経て前記第１の爪部と前記第２の爪部がそれぞれの前記係止面で互いに係止するものであり、
さらに、前記第１の爪部と前記第２の爪部は互いの前記係止面の前記第１の方向に沿う滑りにより離脱可能に構成されていることを特徴とする（１）から（３）のいずれか１に記載の遊技機。
第１の爪部と第２の爪部の係止により封止されるが、第１構造部と分離して第２構造部を第１の方向に引っ張れば、係止面で滑って第２構造部を取り外すことができる。
【０１００】
（８）前記第１の構造部材が前記第２の構造部材の所定部位を覆って取り付けられるカバーであり、
前記第１係止手段および前記第２係止手段はそれぞれ前記所定部位と該所定部位に対向する前記カバーの裏面との間に設けられていることを特徴とする（１）〜（７）のいずれか１に記載の遊技機。
第１係止手段および第２係止手段はカバーの裏面に隠れるから、不正なアクセスによってそれぞれの係止状態を解放することが困難である。
（９）前記第２の構造部材の前記所定部位は該第２の構造部材の表面に対する凹部をなすカバー嵌め込み領域とされ、
前記カバーはその外周縁において前記第２の構造部材の表面と面一となるように構成されていることを特徴とする（８）に記載の遊技機。
カバーがカバー嵌め込み領域に嵌め込まれて、各係止手段が第２の構造部材の表面より沈んだ配置となるので、不正なアクセスがとくに困難となる。
【０１０１】
（１０）前記第１の方向が前記第１の構造部材の前記第２の構造部材から離間する剥し方向であり、
前記第２の方向が前記第１の構造部材の前記第２の構造部材に対するスライド方向に沿った一方向であることを特徴とする（１）から（９）のいずれか１に記載の遊技機。
スライド操作により取り付けられるので、固定作業が容易である。
また、剥し方向とスライド方向は直交するので、第１の構造部材が第２の構造部材に対して戻り方向にスライド不能とすることにより、第１係止手段の係止状態が外れる可能性は皆無で、確実に保持される。
【０１０２】
（１１）制御基板を収納しソケットに外部ケーブルのコネクタを接続して、当該コネクタ接続部を囲む所定部位を覆ってコネクタカバーを取り付けた基板ユニットを配設した遊技機において、
前記コネクタカバーは接続部を介して接続された第１構造部と第２構造部を有し、
前記第１構造部と前記所定部位の間には、該所定部位から離間する剥し方向において互いに係止する剥し方向係止手段が設けられ、
前記第２構造部と前記所定部位の間には、スライド方向に沿った一方向において互いに係止するスライド方向係止手段が設けられ、
前記剥し方向係止手段は前記コネクタカバーを前記基板ユニットに対して前記スライド方向に沿った他方向に所定位置まで移動させることにより係止状態となり、
前記スライド方向係止手段は前記コネクタカバーを前記基板ユニットに対して前記スライド方向に沿った他方向に前記所定位置まで移動させることにより不可逆の係止状態となるように構成されて、前記コネクタカバーと前記基板ユニットの固定され、
さらに、前記スライド方向係止手段は、前記接続部において前記第１構造部と前記第２構造部を分離後は、該第２構造部の前記基板ユニットに対する前記剥し方向の離脱を可能に構成されて、該第２構造部を取り外すことにより前記固定が解除されることを特徴とする遊技機。
【０１０３】
（１１）の発明によれば、コネクタカバーを基板ユニットに対してスライド方向に沿った他方向に所定位置まで移動させることにより、剥し方向係止手段とスライド方向係止手段の双方が係止状態となる。スライド方向係止手段は一旦係止すると不可逆でコネクタカバーをスライド方向に戻すことができないから、剥し方向係止手段も係止状態から解放されない。したがって、コネクタカバーはスライドさせて係止させるだけで、他の別部材等を要することなく、基板ユニットから取り外し不能の封止状態で固定される。
接続部を切断して第１構造部と第２構造部を分離すれば、スライド方向係止手段はスライド方向に沿った一方向の係止状態は解放されないが、剥し方向には第２構造部を取り外せるから、その後は残った第１構造部もスライド方向に沿った一方向に戻すことができ、剥し方向係止手段による係止状態から解放して取り外すことができる。
【０１０４】
（１２）前記第１構造部が前記第２構造部を前記スライド方向に沿って挟んでおり、前記剥し方向係止手段は前記第２構造部を挟む前記第１構造部のそれぞれと前記所定部位の間に設けてあることを特徴とする（１１）に記載の遊技機。
第１係止手段が第２構造部を挟んだ両側の第１構造部においてコネクタカバーを基板ユニットに係止するから、強い固定状態が得られる。
（１３）前記剥し方向係止手段は、前記コネクタ接続部を挟んで、複数設けてあることを特徴とする（１１）に記載の遊技機。
複数の剥し方向係止手段が第１構造部のコネクタ接続部を挟んだ両側でそれぞれ係止することにより、均等で強い固定状態が得られる。
【０１０５】
（１４）前記剥し方向係止手段が、前記第１構造部に設けられた第１の引掛部と、前記所定部位に設けられた第２の引掛部とを有して、
前記コネクタカバーの前記スライド方向に沿った他方向への移動により、前記第１の引掛部が前記第２の引掛部の裏面側に位置して互いに係止するものであることを特徴とする（１１）に記載の遊技機。
簡素な引掛部同士をコネクタカバーのスライドにより係止させることにより、簡単に剥し方向に対する結合が得られる。
（１５）前記剥し方向係止手段が、前記第１構造部に設けられて前記スライド方向に沿った他方向に延びる係止片と、前記所定部位側に設けられて前記スライド方向に沿った一方向に開口する係止穴とを有して、
前記コネクタカバーの前記スライド方向に沿った他方向への移動により、前記係止片が前記係止穴に進入して互いに係止するものであることを特徴とする（１１）に記載の遊技機。
係止片が係止穴に進入して互いに係止することにより、簡単に剥し方向に対する結合が得られる。
【０１０６】
（１６）前記剥し方向係止手段が、
前記第１構造部に設けられた第１の引掛部と、前記所定部位に設けられた第２の引掛部とを有して、前記コネクタカバーの前記スライド方向に沿った他方向への移動により、前記第１の引掛部が前記第２の引掛部の裏面側に位置して互いに係止する第１の剥し方向係止手段と、
前記第１構造部に設けられて前記スライド方向に沿った他方向に延びる係止片と、前記所定部位側に設けられて前記スライド方向に沿った一方向に開口する係止穴とを有して、前記コネクタカバーの前記スライド方向に沿った他方向への移動により、前記係止片が前記係止穴に進入して互いに係止する第２の剥し方向係止手段とを含むことを特徴とする（１１）に記載の遊技機。
同じ剥し方向に対する係止のために、構成の異なる剥し方向係止手段を両方備えて、係止状態解放のための仕組みがそれぞれ異なる複合構造となるので、一層大きな不正アクセス防止効果が得られる。
【０１０７】
（１７）前記所定部位には前記コネクタから延びる前記外部ケーブルをガイドするケーブル押えが設けられて、前記係止穴は前記ケーブル押えに形成され、
前記コネクタカバーの前記第１構造部は前記ケーブル押えを収容するケーブル押え収容部を備えて、前記係止片は前記ケーブル押え収容部の内壁から延びていることを特徴とする（１５）または（１６）に記載の遊技機。
ケーブル押えをケーブルガイドと剥し方向係止手段の一部に兼用しているので、構成が簡単化される。
【０１０８】
（１８）前記スライド方向係止手段が、前記第２構造部に設けられて前記スライド方向に沿って前記基板ユニット側へ延び係止穴を備える縦壁部と、前記所定部位に設けられて前記スライド方向に沿った他方向側の端に係止面を備える爪部とを有して、
前記コネクタカバーの前記スライド方向に沿った他方向への移動により、前記縦壁部の弾性変形を経て前記爪部が前記係止穴に嵌り込んで互いに係止し、
さらに、前記爪部と前記係止穴の少なくとも一方には、前記縦壁部の弾性変形により前記第２構造部の前記剥し方向への離脱を許す傾斜面を有しているものであることを特徴とする（１１）に記載の遊技機。
爪部が係止穴に嵌り込むことによりスライド方向に係止して封止されるが、第１構造部と分離して第２構造部を剥し方向に引っ張れば、爪部と係止穴の一方に設けた傾斜面により、縦壁部が弾性変形して爪部と係止穴の係止が外れるから、コネクタカバーの第２構造部を取り外すことができる。
【０１０９】
（１９）前記スライド方向係止手段が、前記第２構造部に設けられて前記スライド方向に沿った一方向側の端に係止面を有する第１の爪部を備えた弾性片部と、前記所定部位に設けられて前記スライド方向に沿った他方向側の端に係止面を備える第２の爪部とを有して、
前記コネクタカバーの前記スライド方向に沿った他方向への移動により、前記弾性片部の弾性変形を経て前記第１の爪部と前記第２の爪部がそれぞれの前記係止面で互いに係止し、
さらに、前記第１の爪部は前記第２の爪部に対して互いの前記係止面における前記剥し方向に沿ったスライドにより離脱可能に構成されていることを特徴とする（１１）に記載の遊技機。
第１の爪部と第２の爪部の係止により封止されるが、第１構造部と分離して第２構造部を第１の方向に引っ張れば、係止面で滑ってコネクタカバーの第２構造部を取り外すことができる。
【０１１０】
（２０）前記スライド方向係止手段が、
前記第２構造部に設けられて前記スライド方向に沿って前記基板ユニット側へ延び係止穴を備える縦壁部と、前記所定部位に設けられて前記スライド方向に沿った他方向側の端に係止面を備える爪部とを有して、前記コネクタカバーの前記スライド方向に沿った他方向への移動により、前記縦壁部の弾性変形を経て前記爪部が前記係止穴に嵌り込んで互いに係止し、さらに、前記爪部と前記係止穴の少なくとも一方には、前記縦壁部の弾性変形により前記第２構造部の前記剥し方向への離脱を許す傾斜面を有している第１のスライド方向係止手段と、
前記第２構造部に設けられて前記スライド方向に沿った一方向側の端に係止面を有する第１の爪部を備えた弾性片部と、前記所定部位に設けられて前記スライド方向に沿った他方向側の端に係止面を備える第２の爪部とを有して、前記コネクタカバーの前記スライド方向に沿った他方向への移動により、前記弾性片部の弾性変形を経て前記第１の爪部と前記第２の爪部がそれぞれの前記係止面で互いに係止し、さらに、前記第１の爪部は前記第２の爪部に対して互いの前記係止面における前記剥し方向に沿ったスライドにより離脱可能に構成されている第２のスライド方向係止手段とを含むことを特徴とする（１１）に記載の遊技機。
同じスライド方向に対する係止のために、構成の異なるスライド方向係止手段を両方備えて、係止状態解放のための仕組みがそれぞれ異なる複合構造となるので、一層大きな不正アクセス防止効果が得られる。
【０１１１】
（２１）前記所定部位は前記基板ユニットの表面に対する凹部をなすカバー嵌め込み領域とされ、
前記コネクタカバーはその外周縁において前記基板ユニットの表面と面一となるように構成されていることを特徴とする（１１）から（２０）のいずれか１に記載の遊技機。
コネクタカバーがカバー嵌め込み領域に嵌め込まれて、各係止手段が基板ユニットの表面より沈んだ配置となるので、不正なアクセスがとくに困難となる。
（２２）前記基板ユニットは、前記制御基板を収納する基板ボックスと該基板ボックスを支持する可動ベース部とを有し、
前記カバー嵌め込み領域が前記基板ボックスと前記可動ベース部に跨って設定されていることを特徴とする（２１）に記載の遊技機。
コネクタ接続部が基板ボックスの周辺部に近接している場合でも、カバー嵌め込み領域が可動ベース部に跨って広く確保され、各係止手段を高い自由度で適切な位置に配置することができる。
また、カバー嵌め込み領域内に基板ボックスと可動ベース部の結合部を配置することにより、基板ボックスと可動ベース部の結合もコネクタカバーにより封止されるので、基板ボックスが不正に可動ベース部から取り外されるおそれもない。
【０１１２】
（２３）前記コネクタカバーはその外周縁をなすベースから膨出して前記コネクタ接続部を収容するコネクタ収容部を有しており、
前記第１の引掛部、前記縦壁部、および前記弾性片部は前記ベースの裏面に形成されていることを特徴とする（１４）、（１６）、（１８）から（２０）のいずれか１に記載の遊技機。
各係止手段を構成するコネクタカバー側の引掛部等がベースの表側に突出しないので、基板ユニットがコンパクトに抑えられ、周辺の部材との干渉のおそれがない。また、コネクタ収容部を避けているので、コネクタカバーの裏面側においてもコネクタ接続部と干渉することがない。
【０１１３】
（２４）前記接続部は、前記第１構造部と前記第２構造部の間にわたって外方へ突出して設けられた耳片であることを特徴とする（１１）から（２３）のいずれか１に記載の遊技機。
耳片が突出して設けられているので工具による切断が容易である。
（２５）前記耳片は前記第１構造部と前記第２構造部の境界に切り欠きを有していることを特徴とする（２４）に記載の遊技機。
切り欠き部分が易破断部となって切断しやすく、容易に第２構造部を第１構造部から分離できる。
（２６）前記耳片は前記コネクタカバーの外周縁に沿って設けてあることを特徴とする（２４）または（２５）に記載の遊技機。
コネクタ収容部などを膨出させてある場合でも、耳片はそれから離間しているので工具をあてがい易く、切断作業が容易である。
【０１１４】
（２７）制御基板を収納して外部ケーブルのコネクタを接続するソケットを備えた基板ユニットを配設し、該基板ユニットにコネクタカバーを取り付けてコネクタ接続部を封止する遊技機において、
前記ソケットへの前記コネクタの接続が不完全な状態では前記コネクタカバーの取り付けを阻止する取り付け阻止手段を備えることを特徴とする遊技機。
コネクタの接続が不完全な状態ではコネクタカバーの取り付けが阻止されるので、接続不完全なままで封止してしまうことが防止される。
（２８）前記取り付け阻止手段は、接続が不完全なときの前記コネクタ接続部と干渉する干渉部材であることを特徴とする（２７）に記載の遊技機。
干渉部材がコネクタ接続部と干渉することによりコネクタカバーの取り付けができず、取り付け作業者は直ちに異常であることを認識することができる。
【０１１５】
（２９）前記コネクタカバーはその外周縁をなすベースから膨出して前記コネクタ接続部を収容するコネクタ収容部を有しており、
前記干渉部材は、前記コネクタ接続部のロックレバーの回動軌跡を横切って該ロックレバーがロック位置にないとき当該ロックレバーと干渉するように前記コネクタ収容部に設けられた隔壁であることを特徴とする（２８）に記載の遊技機。
隔壁がロックレバーと干渉することにより、ロック位置にない、すなわちコネクタが正規の接続状態にないことがわかる。
隔壁はコネクタ収容部の剛性も向上させる。
【０１１６】
（３０）前記コネクタカバーはその外周縁をなすベースから膨出して前記コネクタ接続部を収容するコネクタ収容部を有しており、
前記干渉部材は、前記コネクタカバーの取り付け状態において、接続が完全な状態の前記コネクタに前記ソケットへの挿し込み方向で当接するように前記コネクタ収容部に設けられた隔壁であることを特徴とする（２８）に記載の遊技機。
コネクタの接続が不完全なときはソケットへの挿し込みが不十分で、ソケットからのコネクタの突出量が大きいから、隔壁がコネクタに乗り上げるためコネクタが正規の接続状態にないことがわかる。
隔壁がコネクタに乗り上げた場合、コネクタカバーを意識的に押し付けることにより隔壁を介してコネクタを正規の接続状態に是正することができる。
（３１）前記隔壁が前記コネクタの長手方向両端側に離間した位置に対応させて、２箇所設けてあることを特徴とする（３０）に記載の遊技機。
コネクタが不均等に斜めに挿し込まれている場合にも、コネクタが正規の接続状態にないことが精度良くわかる。
【０１１７】
（３２）前記（１）から（３１）の遊技機のいずれかにおいて、当該遊技機がパチンコ遊技機であることを特徴とする遊技機。なかでも、パチンコ遊技機の基本構成としては操作ハンドルを備え、その操作ハンドルの操作に応じて球を所定の遊技領域へ発射し、球が遊技領域内の所定の位置に配設された作動口に入賞（または作動口を通過）することを必要条件として、表示装置において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０１１８】
（３３）前記（１）から（３１）の遊技機のいずれかにおいて、当該遊技機がスロットマシンであることを特徴とする遊技機。なかでも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０１１９】
（３４）前記（１）から（３１）の遊技機のいずれかにおいて、当該遊技機がパチンコ遊技機とスロットマシンとを融合させたものであることを特徴とする遊技機。なかでも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用するとともに、前記識別情報の動的表示の開始に際しては所定数の球を必要とし、特別遊技状態の発生に際しては多くの球が払い出されるように構成されている遊技機」となる。
【０１２０】
前述の実施の形態においては、コネクタカバー３００が発明における第１の構造部材、およびカバーに該当し、その第１部３０１および第３部３０３がそれぞれ第１構造部に、第２部３０２が第２構造部に対応し、主基板ユニット２０が第２の構造部材、および基板ユニットに該当する。
第１の剥し方向係止部２２０と係止部３１５の組み合わせ、および係止穴２２８からなる第２の剥し方向係止部と係止片３１３の組み合わせが、それぞれ第１係止手段を構成し、剥し方向係止手段を構成している。そしてとくに前者の組み合わせが第１の剥し方向係止手段に該当し、後者の組み合わせが第２の剥し方向係止手段に該当する。
また、第１のスライド方向係止部２３０と係止部３２０の組み合わせ、および第２のスライド方向係止部２４０と係止部３３０の組み合わせが、それぞれ第２係止手段を構成し、スライド方向係止手段を構成している。そしてとくに前者の組み合わせが第１のスライド方向係止手段に該当し、後者の組み合わせが第２のスライド方向係止手段に該当する。
そして、図１０において紙面に垂直の手前方向が第１の方向、および剥がし方向に、同図において紙面に平行な下方向が第２の方向、およびスライド方向に沿った一方向に該当する。
【０１２１】
耳片３０７、３０８が発明における接続部を構成している。
爪部２３２が（７）の発明における第１の爪部に該当し、爪部３３２が（７）の発明における第２の爪部に該当する。
また、引掛部２２４が（１４）、（１６）の発明における第１の引掛部に該当し、引掛部３１６が（１４）、（１６）の発明における第２の引掛部に該当する。
主基板２３が制御基板に、ケーブル２７が外部ケーブルに該当し、カバー嵌め込み領域２１０が所定部位に該当する。
保持壁１１６のネジ挿通穴１２８からネジ７８を基板ボックス３０に締め込んでいる部位が基板ボックスと可動ベース部の結合部に該当する。
そして、横隔壁３４７が取り付け阻止手段、干渉部材、および隔壁に該当する。
【産業上の利用可能性】
【０１２２】
本発明は、制御基板を収納した基板ユニットなどを備える遊技機のセキュリティ確保に用いてとくに有用である。
【符号の説明】
【０１２３】
１    スロットマシン
２    筐体本体
２ａ    天板
２ｂ    底板
２ｃ    背板
２ｄ    左側板
２ｅ    右側板
２ｆ    仕切板
３    前面扉
４    施錠機構
５    遊技パネル
６    表示窓
７    コイン投入口
８    操作部
９    コイン受け皿
１０    演出表示部
１１    ホッパ装置
１２    電源ボックス
１４    リール
１５    リールユニット
２０    主基板ユニット
２２    主制御装置
２３    主基板
２４    ケーブル通路
２５    台座装置
２７    ケーブル
２８    コネクタ
３０    基板ボックス
３１    前壁
３２    後壁
３３    上端壁
３４    下端壁
３５Ｌ、３５Ｒ    側壁
３７Ｌ、３７Ｒ    側方張出し部
３８Ｌ、３８Ｒ    被保持部
３９    ネジ孔
４０    突片
４２ａ、４２ｂ    オフセット領域
４３    係止穴
４５    ソケット
４６    ロックレバー
５０Ｌ、５０Ｒ    固定ベース部
５１    縦壁
５１ａ    段部
５２    底部ブロック
５３    ヒンジ支持壁
５４    ヒンジ軸
５５    補強壁
５６    第１回動ストッパ
５７    上面
５８    第２回動ストッパ
６０    フック
６２    姿勢保持部
６３    爪
６５    凹部
６６    ネジ挿通穴
７０    第１の封止結合部
７１    第２の封止結合部
７２    第３の封止結合部
７５ａ、７５ｂ、７６    封止構造形成部
７８    ネジ
１００    可動ベース部
１０２    載置部
１０４Ｌ、１０４Ｒ    側部ブロック
１０５    前壁部
１０６    後壁部
１０６ａ    膨出部
１０７    下壁部
１０８    封止部
１０９ａ    第１区画
１０９ｂ    第２区画
１０９ｃ    第３区画
１０９ｄ    第４区画
１１２    側端壁
１１４    軸受部
１１５    軸筒
１１６Ｌ、１１６Ｒ    保持壁
１１６ａ    上半部
１１６ｂ    下半部
１１７    接続壁
１１８    溝
１１９    段差面
１２０Ｌ、１２０Ｒ    取っ手兼係止部
１２１    前壁
１２２    側壁
１２２ａ    段差
１２３    指掛け部
１２４    係止孔
１２７    凹部
１２８    ネジ挿通穴
１２９    貫通穴
１３０    連通穴
１３２    突起
１３４    係止バー
１４０    ケーブル押え
１４１    脚壁
１４２    押えバー
１４３    支持脚
２００    第１ボックス
２０１    第２ボックス
２０３    ソケット挿通穴
２０４    操作ボタンカバー部
２０５    ドア
２１０    カバー嵌め込み領域
２１１    底壁
２１２    切欠き
２１３ａ、２１３ｂ    細溝
２２０ａ、２２０ｂ、２２０ｃ、２２０ｄ、２２０ｅ    第１の剥し方向係止部
２２１ａ、２２１ｅ    幅広溝部
２２２    空間
２２３    スリット
２２４ａ、２２４ｄ    引掛部
２２５ａ、２２５ｅ    溝底
２２８    係止穴
２３０    第１のスライド方向係止部
２３１    幅広溝部
２３２    爪部
２３３    係止面
２３４    傾斜面
２３５    傾斜面
２３６    溝底
２４０    第２のスライド方向係止部
２４２    爪部
２４３    係止面
２４４    傾斜面
２４６、２４７    横支持壁
２５０    ベース受け部
２５２    傾斜面
３００    コネクタカバー
３０１    第１部
３０２    第２部
３０３    第３部
３０５    ベース
３０６    コネクタ収容部
３０７、３０８    耳片
３０９    切欠き
３１０    ケーブル押え収容部
３１０ａ    前壁
３１０ｂ    下端壁
３１０ｃ    側壁
３１３    係止片
３１４    傾斜面
３１５ａ、３１５ｂ、３１５ｃ、３１５ｄ、３１５ｅ    係止部
３１６ａ、３１６ｄ    引掛部
３１７    リブ
３１８ａ、３１８ｂ    延長リブ
３２０    係止部
３２１    縦壁部
３２２、３２３    傾斜面
３２５    係止穴
３２６    傾斜面
３３０    係止部
３３１    弾性片部
３３２    爪
３３３    係止面
３３４    傾斜面
３４２    ビード
３４３    ビード
３４５    傾斜面
３４７    横隔壁
ｖ    後方へ延びる片
ｗ    上方へ延びる片
Ｚ    回動中心軸線
【図１】
2018199069.tif 000003
【図２】
2018199069.tif 000004
【図３】
2018199069.tif 000005
【図４】
2018199069.tif 000006
【図５】
2018199069.tif 000007
【図６】
2018199069.tif 000008
【図７】
2018199069.tif 000009
【図８】
2018199069.tif 000010
【図９】
2018199069.tif 000011
【図１０】
2018199069.tif 000012
【図１１】
2018199069.tif 000013
【図１２】
2018199069.tif 000014
【図１３】
2018199069.tif 000015
【図１４】
2018199069.tif 000016
【図１５】
2018199069.tif 000017
【図１６】
2018199069.tif 000018
【図１７】
2018199069.tif 000019
【図１８】
2018199069.tif 000020
【図１９】
2018199069.tif 000021
【図２０】
2018199069.tif 000022
【図２１】
2018199069.tif 000023
【図２２】
2018199069.tif 000024
【図２３】
2018199069.tif 000025
【図２４】
2018199069.tif 000026
【図２５】
2018199069.tif 000027
【図２６】
2018199069.tif 000028
【図２７】
2018199069.tif 000029
【図２８】
2018199069.tif 000030
【図２９】
2018199069.tif 000031